【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
シートが積載される処理積載部材と、
前記処理積載部材に隣接配置されて、前記処理積載部材に排出されたシートに当接可能な当接部材と、
シート面に当接して、前記処理積載部材に押し付けた状態でシートを搬送可能な搬送手段と、
前記処理積載部材に排出されたシートを、前記搬送手段により、所定の距離だけ搬送して前記当接部材に当接させる制御手段と、を備え、
前記制御手段は、前記処理積載部材における積載情報と、前記搬送手段により搬送するシートのシート情報との少なくとも一方に応じて、前記搬送手段のすべりを含む搬送距離が異なるように、前記所定の距離を設定することを特徴とするシート処理装置。
【請求項２】
シートが積載される処理積載部材と、
前記処理積載部材にシートを排出する排出部材と、
前記排出部材による排出方向の上流側に配置されて、前記処理積載部材上のシートの後端に当接可能な後端当接部材と、
シート面に当接して、前記処理積載部材に押し付けた状態でシートを前記上流側へ搬送可能な搬送手段と、
前記排出部材により前記処理積載部材に排出したシートを、前記搬送手段により、所定の距離だけ搬送して前記後端当接部材に当接させる制御手段と、を備え、
前記制御手段は、前記処理積載部材における積載情報と、前記搬送手段により搬送するシートのシート情報との少なくとも一方に応じて、前記搬送手段のすべりを含む搬送距離が異なるように、前記所定の距離を設定することを特徴とするシート処理装置。
【請求項３】
シートが積載される処理積載部材と、
前記処理積載部材にシートを排出する排出部材と、
前記排出部材による排出方向に交差する方向の一端側に配置されて、前記処理積載部材上のシートの側端に当接可能な側端当接部材と、
シート面に当接して、前記処理積載部材に押し付けた状態でシートを前記一端側へ搬送可能な搬送手段と、
前記排出部材により前記処理積載部材に排出したシートを、前記搬送手段により、所定の距離だけ前記一端側へ搬送して前記側端当接部材に当接させる制御手段と、を備え、
前記制御手段は、前記処理積載部材における積載情報と、前記搬送手段により搬送するシートのシート情報との少なくとも一方に応じて、前記搬送手段のすべりを含む搬送距離が異なるように、前記所定の距離を設定することを特徴とするシート処理装置。
【請求項４】
前記制御手段は、前記積載情報と前記シート情報との少なくとも一方を検知してシート下面の摩擦力に応じた前記所定の距離を設定し、前記摩擦力が大きい場合には小さい場合よりも大きな前記所定の距離を設定することを特徴とする請求項１乃至３のいずれか１項に記載のシート処理装置。
【請求項５】
前記搬送手段の作動時間の設定を変更することにより前記所定の距離を変更することを特徴とする請求項１乃至４いずれか１項記載のシート処理装置。
【請求項６】
シートが積載される処理積載部材と、
前記処理積載部材にシートを排出する排出部材と、
前記排出部材による排出方向の上流側に配置されて、前記処理積載部材上のシートの後端に当接可能な後端当接部材と、
前記排出部材による排出方向に交差する方向の一端側に配置されて、前記処理積載部材上のシートの側端に当接可能な側端当接部材と、
前記処理積載部材の上方に昇降可能に配置され、前記排出方向に正逆回転可能であるとともに前記交差する方向に往復移動可能なローラ部材と、
前記排出部材により前記処理積載部材に排出したシートに前記ローラ部材を当接させ、前記ローラ部材の回転によりシートを搬送して前記後端当接部材に当接させた後に、前記ローラ部材を前記交差する方向に移動させてシートを前記側端当接部材に当接させる制御手段と、を備え、
前記制御手段は、前記処理積載部材における積載情報と、前記搬送手段により搬送するシートのシート情報との少なくとも一方に応じて、前記ローラ部材のすべりを含む搬送距離が異なるように、前記ローラ部材の回転角度と、前記ローラ部材の移動距離とを設定することを特徴とするシート処理装置。
【請求項７】
前記制御手段は、前記積載情報と前記シート情報との少なくとも一方を検知してシート下面の摩擦力に応じた前記回転角度および前記移動距離を設定し、前記摩擦力が大きい場合には小さい場合よりも大きな前記回転角度および前記移動距離を設定することを特徴とする請求項６記載のシート処理装置。
【請求項８】
前記積載情報は、前記処理積載部材に積載済みシートがあるか否かであることを特徴とする請求項１乃至７いずれか１項記載のシート処理装置。
【請求項９】
前記シート情報は、シートサイズの大小であることを特徴とする請求項１乃至８いずれか１項記載のシート処理装置。
【請求項１０】
シート束を積載可能なシート積載部材と、
前記処理積載部材から前記シート積載部材へ前記シート束を移動して積載させるシート束排出手段と、を備え、
前記排出手段は、前記処理積載部材に排出されたシートの後端側を次々に挟み込んで、次に排出されるシートの前記搬送手段による搬送に抵抗するシートクランプ手段を含むことを特徴とする請求項１乃至９いずれか１項記載のシート処理装置。
【請求項１１】
シートに画像を形成する画像形成手段と、
前記画像形成手段により画像を形成されたシートを受け入れて処理する請求項１乃至１０いずれか１項記載のシート処理装置と、を備えることを特徴とする画像形成装置。
【請求項１２】
前記画像形成手段を制御する演算制御装置によって前記シート処理装置が共通に制御されることを特徴とする請求項１１記載の画像形成装置。
【請求項１３】
シートに画像を形成する画像形成手段と、
前記シートが積載される処理積載部材と、
前記処理積載部材に隣接配置されて、前記処理積載部材に排出されたシートを当接可能な当接部材と、
シート面に当接して、前記処理積載部材に押し付けた状態でシートを搬送可能な搬送手段と、
前記処理積載部材に排出されたシートを、前記搬送手段により、所定の距離だけ搬送して前記当接部材に当接させる制御手段と、を備え、
前記制御手段は、前記処理積載部材における積載情報と、前記搬送手段により搬送するシートのシート情報との少なくとも一方を検知して前記所定の距離を設定することを特徴とする画像形成装置。
【手続補正２】
【補正対象書類名】明細書
【補正対象項目名】００１４
【補正方法】変更
【補正の内容】
【００１４】
請求項１のシート処理装置は、シートが積載される処理積載部材と、前記処理積載部材に隣接配置されて、前記処理積載部材に排出されたシートに当接可能な当接部材と、シート面に当接して、前記処理積載部材に押し付けた状態でシートを搬送可能な搬送手段と、前記処理積載部材に排出されたシートを、前記搬送手段により、所定の距離だけ搬送して前記当接部材に当接させる制御手段と、を備え、前記制御手段は、前記処理積載部材における積載情報と、前記搬送手段により搬送するシートのシート情報との少なくとも一方に応じて、前記搬送手段のすべりを含む搬送距離が異なるように、前記所定の距離を設定するものである。
【手続補正３】
【補正対象書類名】明細書
【補正対象項目名】００１５
【補正方法】変更
【補正の内容】
【００１５】
請求項２のシート処理装置は、シートが積載される処理積載部材と、前記処理積載部材にシートを排出する排出部材と、前記排出部材による排出方向の上流側に配置されて、前記処理積載部材上のシートの後端に当接可能な後端当接部材と、シート面に当接して、前記処理積載部材に押し付けた状態でシートを前記上流側へ搬送可能な搬送手段と、前記排出部材により前記処理積載部材に排出したシートを、前記搬送手段により、所定の距離だけ搬送して前記後端当接部材に当接させる制御手段と、を備え、前記制御手段は、前記処理積載部材における積載情報と、前記搬送手段により搬送するシートのシート情報との少なくとも一方に応じて、前記搬送手段のすべりを含む搬送距離が異なるように、前記所定の距離を設定するものである。
【手続補正４】
【補正対象書類名】明細書
【補正対象項目名】００１６
【補正方法】変更
【補正の内容】
【００１６】
請求項３のシート処理装置は、シートが積載される処理積載部材と、前記処理積載部材にシートを排出する排出部材と、前記排出部材による排出方向に交差する方向の一端側に配置されて、前記処理積載部材上のシートの側端に当接可能な側端当接部材と、シート面に当接して、前記処理積載部材に押し付けた状態でシートを前記一端側へ搬送可能な搬送手段と、前記排出部材により前記処理積載部材に排出したシートを、前記搬送手段により、所定の距離だけ前記一端側へ搬送して前記側端当接部材に当接させる制御手段と、を備え、前記制御手段は、前記処理積載部材における積載情報と、前記搬送手段により搬送するシートのシート情報との少なくとも一方に応じて、前記搬送手段のすべりを含む搬送距離が異なるように、前記所定の距離を設定するものである。